【手続補正書】
【提出日】平成27年12月1日(2015.12.1)
【手続補正１】
【補正対象書類名】特許請求の範囲
【補正対象項目名】全文
【補正方法】変更
【補正の内容】
【特許請求の範囲】
【請求項１】
照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を備え、
前記支持ハウジングは、前記照明装置ハウジングに吊り下げられた状態で装着され、その外周側には、径方向外方に突出する外突部が設けられているとともに、前記照明装置ハウジングには、前記支持ハウジングの前記外突部の下方に環状受け部が設けられており、
前記支持ハウジングの吊下げ状態が外れたときには、前記支持ハウジングの前記外突部が前記照明装置ハウジングの前記環状受け部に支持されることを特徴とする照明装置。
【請求項２】
前記照明装置ハウジングの上壁には、前記支持ハウジングを前記第１旋回軸線を中心として旋回させるための第１駆動源が装着され、前記第１駆動源に第１歯車が設けられ、また前記支持ハウジングの上壁部には支持軸が固定され、前記支持軸が前記照明装置ハウジングに吊り下げられているとともに、前記支持軸に設けられた第２歯車と前記第１歯車とが駆動連結されていることを特徴とする請求項１に記載の照明装置。
【請求項３】
前記支持ハウジングの前記外突部は、前記支持ハウジングの外周側に装着された環状部材から構成され、前記環状部材が合成樹脂から形成されており、
前記支持ハウジングの吊下げ状態が外れたときには、前記支持ハウジング側の前記環状部材が前記照明装置ハウジングの前記環状受け部に支持されることを特徴とする請求項１又は２に記載の照明装置。
【請求項４】
前記照明ユニットは、前記第２旋回軸線を中心として旋回自在に前記支持ハウジングに装着されたユニットハウジングを備え、前記ユニットハウジングに歯車部が設けられ、また支持ハウジング側には、前記照明ユニットを前記第２旋回軸線を中心として旋回させるための第２駆動源が装着され、前記第２駆動源にウォーム歯車が駆動連結され、前記ウォーム歯車が歯車列を介して前記ユニットハウジングの前記歯車部に駆動連結されていることを特徴とする請求項１〜３のいずれかに記載の照明装置。
【請求項５】
前記照明ユニットは、前記支持ハウジングに支持されたユニットハウジングと、前記ユニットハウジングに装着された照射用基板と、前記照射用基板に実装された複数のＬＥＤ素子と、前記ユニットハウジングに前記第１旋回軸線の方向に移動自在に支持された環状移動部材と、前記環状移動部材に装着され、前記複数のＬＥＤ素子からの光を拡散するための光拡散部材と、を含み、前記ユニットハウジングと前記環状移動部材との間にカム機構が設けられ、前記カム機構の作用によって、前記ユニットハウジングに対して前記環状移動部材が前記第１旋回軸線の方向に移動されることを特徴とする請求項１〜４のいずれかに記載の照明装置。
【請求項６】
照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を備え、
前記支持ハウジングには、歯車列が装着された支持軸が回転自在に支持され、
前記照明ユニットは、前記第２旋回軸線を中心として旋回自在に前記支持ハウジングに装着されたユニットハウジングを備え、前記ユニットハウジングの上面には歯車部が設けられ、また前記支持ハウジング側に前記照明ユニットを前記第２旋回軸線を中心として旋回させるための駆動源が装着され、前記駆動源にウォーム歯車が駆動連結され、前記ウォーム歯車は前記歯車列を介して前記ユニットハウジングの前記歯車部に駆動連結されていることを特徴とする照明装置。
【請求項７】
照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を備え、前記照明ユニットは、前記支持ハウジングに支持されたユニットハウジングと、前記ユニットハウジングに装着された照射用基板と、前記照射用基板に実装された複数のＬＥＤ素子と、前記ユニットハウジングに前記第１旋回軸線の方向に移動自在に支持された環状移動部材と、前記環状移動部材に装着され、前記複数のＬＥＤ素子からの光を拡散するための光拡散部材と、を含み、前記ユニットハウジングと前記環状移動部材との間にカム機構が設けられ、前記カム機構の作用によって、前記ユニットハウジングに対して前記環状移動部材が前記第１旋回軸線の方向に移動されることを特徴とする照明装置。
【請求項８】
前記ユニットハウジングには、環状回動部材が回動自在に装着され、前記カム機構は、前記環状回動部材に設けられたカム溝と、前記環状移動部材に取り付けられ、前記カム溝に受け入れられたピン部材とから構成され、前記環状回動部材が回動されると、前記ピン部材が前記カム溝に沿って相対的に移動し、これによって、前記ユニットハウジングに対して前記環状移動部材が前記第１旋回軸線の方向に移動されることを特徴とする請求項７に記載の照明装置。
【請求項９】
複数の照明装置と、
前記複数の照明装置を制御するための制御手段と、
操作装置と、を備え
前記複数の照明装置の各々は、照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を有し、
前記照明ユニットは複数のＬＥＤ素子を有し、
前記制御手段は、前記複数の照明装置をグループ化するためのグループ化設定手段を有し、
前記操作装置は、色調操作レバーと、前記グループ化設定手段により設定されたグループの何れかを選択するスイッチと、を有し、
前記スイッチの操作により特定グループが選択されて前記色調操作レバーが操作されると、前記制御手段は前記色調操作レバーの位置情報に応じて前記特定グループの照明装置の前記複数のＬＥＤ素子の発光色調を調整することを特徴とする照明システム。
【請求項１０】
前記複数の照明装置の各々は、前記支持ハウジングを前記第１旋回軸線を中心として旋回させるための第１駆動源と、前記照明ユニットを前記第２旋回軸線を中心として旋回せるための第２駆動源と、を更に有し、
前記操作装置は、回転操作レバーと、傾き操作レバーと、を更に有し、
前記スイッチの操作により特定グループが選択されて前記回転操作レバーが操作されると、前記制御手段は前記回転操作レバーの位置情報に応じて前記特定グループの照明装置の前記第１駆動源を制御して前記支持ハウジングを旋回させ、
前記スイッチの操作により特定グループが選択されて前記傾き操作レバーが操作されると、前記制御手段は前記傾き操作レバーの位置情報に応じて前記特定グループの照明装置の前記第２駆動源を制御して前記照明ユニットを旋回させることを特徴とする請求項９に記載の照明システム。
【請求項１１】
前記複数のＬＥＤ素子は、第１特定色に発光する第１ＬＥＤチップと、前記第１特定色と異なる第２特定色に発光する第２ＬＥＤチップと、を有し、
前記制御手段は、前記第１ＬＥＤチップに供給される電流を制御して前記第１ＬＥＤチップの発光明るさを調整するとともに、前記第２ＬＥＤチップに供給される電流を制御して前記第２ＬＥＤチップの発光明るさを調整することにより、前記照明装置の発光色調を制御することを特徴とする請求項９又は１０に記載の照明システム。
【手続補正２】
【補正対象書類名】明細書
【補正対象項目名】全文
【補正方法】変更
【補正の内容】
【発明の詳細な説明】
【発明の名称】照明装置及びこれを備えた照明システム
【技術分野】
【０００１】
本発明は、照明方向を調整することができる照明装置及びこれを備えた照明システムに関する。
【背景技術】
【０００２】
照明装置の一例としてのスポットライトとして、安定器ボックスと、この安定器ボックスに取り付けられた照明具とを備えたものが提案されている（例えば、特許文献１参照）。このスポットライトにおいては、照明具は照明具本体を備え、この照明具本体のソケットにランプが装着されている。
【０００３】
そして、照明具本体は、次のようにして安定化ボックスに取り付けられている。即ち、安定化ボックスの一端部に中空状の旋回アームが垂直な取付ねじ（垂直軸として機能する）を中心に旋回自在に取り付けられ、また照明具本体の側面に中空ブッシュ（水平軸として機能する）が回動自在に取り付けられ、この中空ブッシュが旋回アームに嵌合されて固定されている。従って、照明具本体を垂直軸を中心として旋回させ、また水平軸を中心として回動させることによってその照射角度を調整することができる。
【先行技術文献】
【特許文献】
【０００４】
【特許文献１】特開２０００−８２３０１号公報
【発明の概要】
【発明が解決しようとする課題】
【０００５】
しかしながら、このようなスポットライト（照明装置）は、照明具本体の全体を旋回させる構造であり、また照明具本体のシェードの側部を中心として旋回させる構造であるために、安定して旋回させることが難しく、また自動で旋回させようとするものに適用するのが難しく、自動で安定して照明角度を調整できるものに好都合に適用することができる照明装置の実現が望まれていた。
【０００６】
また、このような照明装置を用いた照明システムにおいては、照射する対象物の色彩などに応じて照明装置の照明光の色調を変えることによって、陳列商品などを引き立たせることができるが、色調を調整することができるものがなく、照射光の色調を変えることができる照明システムの実現が望まれていた。
【０００７】
本発明の目的は、照射角度を安定して調整することができるものに適用することができる照明装置を提供することである。
【０００８】
また、本発明の他の目的は、照射装置の照明光の色調を調整することができる照明システムを提供することである。
【課題を解決するための手段】
【０００９】
本発明の請求項１に記載の照明装置は、照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を備え、
前記支持ハウジングは、前記照明装置ハウジングに吊り下げられた状態で装着され、その外周側には、径方向外方に突出する外突部が設けられているとともに、前記照明装置ハウジングには、前記支持ハウジングの前記外突部の下方に環状受け部が設けられており、
前記支持ハウジングの吊下げ状態が外れたときには、前記支持ハウジングの前記外突部が前記照明装置ハウジングの前記環状受け部に支持されることを特徴とする。
【００１０】
また、本発明の請求項２に記載の照明装置では、前記照明装置ハウジングの上壁には、前記支持ハウジングを前記第１旋回軸線を中心として旋回させるための第１駆動源が装着され、前記第１駆動源に第１歯車が設けられ、また前記支持ハウジングの上壁部には支持軸が固定され、前記支持軸が前記照明装置ハウジングに吊り下げられているとともに、前記支持軸に設けられた第２歯車と前記第１歯車とが駆動連結されていることを特徴とする。
【００１１】
また、本発明の請求項３に記載の照明装置では、前記支持ハウジングの前記外突部は、前記支持ハウジングの外周側に装着された環状部材から構成され、前記環状部材が合成樹脂から形成されており、
前記支持ハウジングの吊下げ状態が外れたときには、前記支持ハウジング側の前記環状部材が前記照明装置ハウジングの前記環状受け部に支持されることを特徴とする。
【００１２】
また、本発明の請求項４に記載の照明装置では、前記照明ユニットは、前記第２旋回軸線を中心として旋回自在に前記支持ハウジングに装着されたユニットハウジングを備え、前記ユニットハウジングに歯車部が設けられ、また支持ハウジング側には、前記照明ユニットを前記第２旋回軸線を中心として旋回させるための第２駆動源が装着され、前記第２駆動源にウォーム歯車が駆動連結され、前記ウォーム歯車が歯車列を介して前記ユニットハウジングの前記歯車部に駆動連結されていることを特徴とする。
【００１３】
また、本発明の請求項５に記載の照明装置では、前記照明ユニットは、前記支持ハウジングに支持されたユニットハウジングと、前記ユニットハウジングに装着された照射用基板と、前記照射用基板に実装された複数のＬＥＤ素子と、前記ユニットハウジングに前記第１旋回軸線の方向に移動自在に支持された環状移動部材と、前記環状移動部材に装着され、前記複数のＬＥＤ素子からの光を拡散するための光拡散部材と、を含み、前記ユニットハウジングと前記環状移動部材との間にカム機構が設けられ、前記カム機構の作用によって、前記ユニットハウジングに対して前記環状移動部材が前記第１旋回軸線の方向に移動されることを特徴とする。
【００１４】
また、本発明の請求項６に記載の照明装置は、照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を備え、
前記支持ハウジングには、歯車列が装着された支持軸が回転自在に支持され、
前記照明ユニットは、前記第２旋回軸線を中心として旋回自在に前記支持ハウジングに装着されたユニットハウジングを備え、前記ユニットハウジングの上面には歯車部が設けられ、また前記支持ハウジング側に前記照明ユニットを前記第２旋回軸線を中心として旋回させるための駆動源が装着され、前記駆動源にウォーム歯車が駆動連結され、前記ウォーム歯車は前記歯車列を介して前記ユニットハウジングの前記歯車部に駆動連結されていることを特徴とする。
【００１５】
また、本発明の請求項７に記載の照明装置は、照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を備え、前記照明ユニットは、前記支持ハウジングに支持されたユニットハウジングと、前記ユニットハウジングに装着された照射用基板と、前記照射用基板に実装された複数のＬＥＤ素子と、前記ユニットハウジングに前記第１旋回軸線の方向に移動自在に支持された環状移動部材と、前記環状移動部材に装着され、前記複数のＬＥＤ素子からの光を拡散するための光拡散部材と、を含み、前記ユニットハウジングと前記環状移動部材との間にカム機構が設けられ、前記カム機構の作用によって、前記ユニットハウジングに対して前記環状移動部材が前記第１旋回軸線の方向に移動されることを特徴とする。
【００１６】
また、本発明の請求項８に記載の照明装置では、前記ユニットハウジングには、環状回動部材が回動自在に装着され、前記カム機構は、前記環状回動部材に設けられたカム溝と、前記環状移動部材に取り付けられ、前記カム溝に受け入れられたピン部材とから構成され、前記環状回動部材が回動されると、前記ピン部材が前記カム溝に沿って相対的に移動し、これによって、前記ユニットハウジングに対して前記環状移動部材が前記第１旋回軸線の方向に移動されることを特徴とする。
【００１７】
また、本発明の請求項９に記載の照明システムは、複数の照明装置と、前記複数の照明装置を制御するための制御手段と、操作装置と、を備え、前記複数の照明装置の各々は、照明装置ハウジングと、前記照明装置ハウジングに上下方向に延びる第１旋回軸線を中心として旋回自在に支持された支持ハウジングと、前記支持ハウジングに横方向に延びる第２旋回軸線を中心に旋回自在に支持された照明ユニットと、を有し、前記照明ユニットは複数のＬＥＤ素子を有し、前記制御手段は、前記複数の照明装置をグループ化するためのグループ化設定手段を有し、前記操作装置は、色調操作レバーと、前記グループ化設定手段により設定されたグループの何れかを選択するスイッチと、を有し、
前記スイッチの操作により特定グループが選択されて前記色調操作レバーが操作されると、前記制御手段は前記色調操作レバーの位置情報に応じて前記特定グループの照明装置の前記複数のＬＥＤ素子の発光色調を調整することを特徴とする。
【００１８】
また、本発明の請求項１０に記載の照明システムでは、前記複数の照明装置の各々は、前記支持ハウジングを前記第１旋回軸線を中心として旋回させるための第１駆動源と、前記照明ユニットを前記第２旋回軸線を中心として旋回せるための第２駆動源と、を更に有し、前記操作装置は、回転操作レバーと、傾き操作レバーと、を更に有し、
前記スイッチの操作により特定グループが選択されて前記回転操作レバーが操作されると、前記制御手段は前記回転操作レバーの位置情報に応じて前記特定グループの照明装置の前記第１駆動源を制御して前記支持ハウジングを旋回させ、
前記スイッチの操作により特定グループが選択されて前記傾き操作レバーが操作されると、前記制御手段は前記傾き操作レバーの位置情報に応じて前記特定グループの照明装置の前記第２駆動源を制御して前記照明ユニットを旋回させることを特徴とする。
【００１９】
更に、本発明の請求項１１に記載の照明システムでは、前記複数のＬＥＤ素子は、第１特定色に発光する第１ＬＥＤチップと、前記第１特定色と異なる第２特定色に発光する第２ＬＥＤチップと、を有し、前記制御手段は、前記第１ＬＥＤチップに供給される電流を制御して前記第１ＬＥＤチップの発光明るさを調整するとともに、前記第２ＬＥＤチップに供給される電流を制御して前記第２ＬＥＤチップの発光明るさを調整することにより、前記照明装置の発光色調を制御することを特徴とする。
【発明の効果】
【００２０】
本発明の請求項１に記載の照明装置によれば、支持ハウジングが第１旋回軸線を中心として旋回自在に照明装置ハウジングに支持され、照明ユニットが第２旋回軸線を中心に旋回自在に支持ハウジングに支持されているので、支持ハウジング（即ち、照明ユニット）を第１旋回軸線を中心として安定して旋回させることができ、また照明ユニットを第２旋回軸線を中心として安定して旋回させることができ、かくして、照明装置の照射角度を調整することができる。そして、例えば、支持ハウジング及び照明ユニットに関連して駆動源を設けることにより、支持ハウジング及び照明ユニットを自動で旋回させることが可能となる。
【００２１】
また、支持ハウジングが照明装置ハウジングに吊り下げられた状態で装着されているので、第１旋回軸線を中心に支持ハウジングを旋回させる際の摩擦抵抗を小さくすることができ、この支持ハウジングを比較的小さい回動力でもってスムースに旋回させることができる。
【００２２】
更に、支持ハウジングの外周側には、径方向外方に突出する外突部が設けられているとともに、照明装置ハウジングには、支持ハウジングの外突部の下方に環状受け部が設けられているので、仮に支持ハウジングの吊下げ状態が外れたときにも、支持ハウジングの外突部が照明装置ハウジングの環状受け部に支持され、これにより支持ハウジングが落下するのを確実に防止することができる。
【００２３】
また、本発明の請求項２に記載の照明装置によれば、照明装置ハウジングの上壁に第１駆動源が装着され、支持ハウジングの上壁部には支持軸が固定され、この支持軸が照明装置ハウジングに吊り下げられているので、支持ハウジングを照明装置ハウジングに所要の通りに吊り下げることができる。また、第１駆動源に第１歯車が設けられ、支持軸に第２歯車が設けられ、この第２歯車と第１歯車とが駆動連結されているので、第１駆動源からの駆動力を支持軸に伝達させて支持ハウジング（即ち、照明ユニット）を第１旋回軸線を中心として所要の通りに旋回せることができる。
【００２４】
また、本発明の請求項３に記載の照明装置によれば、支持ハウジングの外突部は、支持ハウジングの外周側に装着された環状部材から構成されているので、仮に支持ハウジングの吊下げ状態が外れたときにも、支持ハウジング側の環状部材を照明装置ハウジングの環状受け部でもって一層確実に支持することができる。また、環状部材が合成樹脂から形成されているので、仮にこの環状部材が照明装置ハウジングの環状受け部に接触したとしても接触抵抗を小さくすることができる。
【００２５】
また、本発明の請求項４及び請求項６に記載の照明装置によれば、ユニットハウジングが第２旋回軸線を中心として旋回自在に支持ハウジングに装着され、このユニットハウジングに歯車部が設けられ、また第２駆動源に駆動連結されたウォーム歯車が歯車列を介してこの歯車部に駆動連結されているので、第２駆動源によって、ユニットハウジングを第２の旋回軸線を中心として所要の通りに旋回させることができる。加えて、ウォーム歯車を用いているので、このウォーム歯車の回動抵抗によってユニットハウジングがその自重（及びこれに装着された構成要素）によって回動するのを防止することができる。
【００２６】
また、本発明の請求項５及び請求項７に記載の照明装置によれば、照明ユニットは、支持ハウジングに支持されたユニットハウジングと、ユニットハウジングに第１旋回軸線の方向に移動自在に支持された環状移動部材と、環状移動部材に装着された光拡散部材とを含み、ユニットハウジングと環状移動部材との間にカム機構が設けられているので、このカム機構の作用によって、ユニットハウジングに対して環状移動部材を第１旋回軸線の方向に移動させることができ、これによって、複数のＬＥＤ素子からの光を拡げたり、絞ったりすることができる。
【００２７】
また、本発明の請求項８に記載の照明装置によれば、カム機構は、ユニットハウジング側の環状回動部材に設けられたカム溝と、環状移動部材に取り付けられたピン部材とから構成され、このカム溝にピン部材が受け入れられているので、環状回動部材が回動されると、ピン部材がカム溝に沿って相対的に移動し、これによって、環状移動部材（即ち、光拡散部材）をユニットハウジングに対して第１旋回軸線の方向（即ち、複数のＬＥＤ素子に近接及び離隔する方向）に移動させることができる。
【００２８】
【００２９】
また、本発明の請求項９に記載の照明システムによれば、制御手段は複数の照明装置をグループ化するためのグループ化設定手段を含んでいるので、特定グループの照明装置の色調を調整することができる。
【００３０】
更に、本発明の請求項１０に記載の照明システムによれば、特定グループの照明装置については、制御手段によりそれらの第１及び第２駆動源を制御することによって、特定グループの照明装置の照射角度を調整することができる。
また、本発明の請求項１１に記載の照明システムによれば、複数のＬＥＤ素子は、第１特定色に発光する第１ＬＥＤチップと、第２特定色に発光する第２ＬＥＤチップとを含んでいるので、２種類のＬＥＤチップの発光状態を調整することによって、ＬＥＤ素子の発光色調を変えることができる。また、制御手段は、複数のＬＥＤ素子の第１ＬＥＤチップに供給される電流を制御してそれらの発光明るさを調整し、複数のＬＥＤ素子の第２ＬＥＤチップに供給される電流を制御してそれらの発光明るさを調整するので、照明装置の全体の発光色調を所要の通りに調整することができる。
【図面の簡単な説明】
【００３１】
【図１】本発明に従う照明装置の一実施形態を示す断面図。
【図２】図１におけるＩＩ−ＩＩ線による断面図。
【図３】図１の照明装置における複数のＬＥＤ素子の一つを示す正面図。
【図４】図３のＬＥＤ素子が有するＬＥＤチップに供給される電流の一例を示す図。
【図５】ＬＥＤ素子に供給される電流のデューティ比と発光の明るさとの関係を示す図。
【図６】図６（ａ）は、色調調整レバーの位置とＬＥＤ素子の第１ＬＥＤチップ及び第２ＬＥＤチップの明るさとの関係を示す図であり、図６（ｂ）は、色調調整レバーの操作を説明するための図。
【図７】本発明に従う照明システムの操作装置の一例を示す図。
【図８】図７の操作装置により制御される制御系を簡略的に示すブロック図。
【図９】本発明に従う照明装置の他の実施形態の要部を示す断面図。
【図１０】図９の照明装置における環状回動部材を示す斜視図。
【図１１】図９の照明装置において光拡散部材を複数のＬＥＤ素子から離隔させた状態で示す断面図。
【発明を実施するための形態】
【００３２】
以下、添付図面を参照して、本発明に従う照明装置及びこれを用いた照明システムについて説明する。
【００３３】
〔照明装置の一実施形態〕
まず、図１及び図２を参照して、照明装置の一実施形態について説明する。図１及び図２において、図示の照明装置１は、屋内の天井などに取り付けられる照明装置ハウジング２を備え、この照明装置ハウジング２に支持ハウジング４及び照明ユニット６が装着されている。図示の照明装置ハウジング２は、周方向に等間隔をおいて配設された４つの柱状フレーム８（図１及び図２においてそれらの２つのみ示す）と、照明装置ハウジング２の開口部に配設された環状開口部材１０を備え、この環状開口部材１０の開口端部には、径方向外方に突出する環状フランジ１２が設けられている。この環状開口部材１０の環状上面は、後の記載から理解されるように、環状受け部１３として機能する。
【００３４】
環状開口部材１０には、周方向に等間隔をおいて平面状の取付部１４が設けられ、各柱状フレーム８は対応する取付部１４に配設され、その下端が環状フランジ１２に当接するように、柱状フレーム８の下端部が固定ねじ１６により固定されている。各柱状フレーム８の上端部１８は径方向に折曲され、この折曲された上端部１８間に上壁２０が取付ねじ２２により取り付けられている。
【００３５】
支持ハウジング４は、この照明装置ハウジング２に上下方向に延びる第１旋回軸線２４を中心として旋回自在に支持されている。図示の支持ハウジング４は略コ字状であり、一対の側壁部２６と、一対の側壁部２６の上端部を接続する上壁部２８を有し、この上壁部２８が旋回自在に支持されている。図示の形態では、支持ハウジング４の上壁部２８に支持軸３０（第１旋回軸線２４として作用する）が、例えばかしめなどにより固定されている。一方、照明装置ハウジング２の上壁２０には開口３２が設けられ、支持ハウジング４側の支持軸３０がこの開口３２を通して上方に突出し、この突出端部３４に係止部材３６（例えば、スナップリング）が係止されており、このように構成することにより、支持ハウジング４は係止部材３６を介して吊り下がった状態で照明装置ハウジング２の上壁２０に支持される。
【００３６】
照明装置ハウジング２側には、支持ハウジング４を旋回動させるための第１駆動モータ３８（第１駆動源を構成する）が設けられている。この形態では、照明装置ハウジング２の上壁２０に第１駆動モータ３８が取り付けられ、第１駆動モータ３８の出力軸４０がこの上壁２０の開口（図示せず）を通して支持ハウジング４側に延び、この出力軸４０に第１歯車４２が取り付けられている。また、支持ハウジング４に固定された支持軸３４には第２歯車４４が取り付けられ、この第２歯車４４に第１歯車４２が噛合されている。従って、第１駆動モータ３８からの回動力は、第１歯車４２及び第２歯車４４を通して支持軸３４に伝達され、この支持軸３４と一体的に支持ハウジング４が第１旋回軸線２４を中心として旋回される。尚、第２歯車４４については、支持軸３４と一体的に樹脂成形により形成することもできる。
【００３７】
照明ユニット６は、横方向（図１において左右方向、図２において紙面に垂直な方向）に延びる第２旋回軸線４６を中心として旋回自在に支持ハウジング４に支持されている。図示の照明ユニット６は、円形状のユニットハウジング４８を備え、このユニットハウジング４８が支持ハウジング４の一対の側壁部２６の下端部間に旋回自在に支持されている。一方の側壁部２６は、ユニットハウジング４８の片側の外側に位置し、この側壁部２６を通して支持ねじ６２をユニットハウジング４８に螺着することによって旋回自在に装着され（図２参照）、また他方の側壁部２６は、ユニットハウジング４８の他側の外側に位置し、この側壁部２６を通して支持ねじ６４をユニットハウジング４８に螺着することによって旋回自在に装着されている。このように構成されているので、ユニットハウジング４８は、一対の支持ねじ６２，６４（これら支持ねじ６２，６４が第２旋回軸線４６として作用する）を中心として、図２に二点鎖線４８ａで示す位置（即ち、後述する発光面が図２において左下を向く位置）から図２に二点鎖線４８ｂで示す位置（即ち、この発光面が図２において右下に向く位置）との間を旋回自在となる。
【００３８】
この形態では、一対の壁部２６の各々には、一部を外方に折曲することによって取付突部５０が設けられ、かかる取付突部５０に環状部材５２が取付ねじ５４により取り付けられている。環状部材５２は合成樹脂（例えば、ポリオキシメチレン（ＰＯＭ））から形成するのが好ましく、この環状部材５２が支持ハウジング４の外突部として機能する。この環状部材５２は、照明装置ハウジング２側の環状受け部１３から幾分間隔をおいてその上方に位置し、仮に係止部材３６による係止状態が外れたときに、支持ハウジング４側の環状部材５２が照明装置ハウジング２側の環状受け部１３に落下して支持され、この支持ハウジング４（及びこれに装着された構成部材）が床面などに落下するのが防止される。尚、この環状受け部１３に支持される支持ハウジング４側の外突部は、この実施形態のように環状に設ける必要はなく、周方向に間隔をおいて設けることもできる。
【００３９】
ユニットハウジング４８の下面（図１における下面）には、そのほぼ全域に円形状の凹部６６が設けられ、この円形凹部６６の外周部に筒状反射部材６８が装着されている。また、筒状反射部材６８の径方向内側における円形凹部６６の底部に複数の取付ねじ６９により照射用基板７０が取り付けられている。この照射用基板７０には複数のＬＥＤ素子７２が実装され、これら複数のＬＥＤ素子７２を覆うように光拡散部材７４が筒状反射部材６８に装着され、光拡散部材７４は、各ＬＥＤ素子７２を覆う光拡散部７６を有している。このように構成されているので、複数のＬＥＤ素子７２からの光は、光拡散部材７４（特に、その光拡散部７６）により拡散され、この光拡散部材７４を通して発光面、即ちユニットハウジング４８の開口側から照射される。
【００４０】
支持ハウジング４側には、ユニットハウジング４８（及びこれに装着された複数のＬＥＤ素子７２など）を旋回動させるための第２駆動モータ７８（第２駆動源を構成する）が設けられている。この形態では、支持ハウジング４の一方の側壁部２６（図１において左側の側壁部２６）の内面側には略コ字状の支持フレーム８０が配設され、この支持フレーム８０の側壁部８２が一方の側壁部２６の内面に取り付けられている。支持フレーム８０の上壁部８４には第２駆動モータ７８が取り付けられ、この第２駆動モータ７８の出力軸８６がこの上壁部８４の開口（図示せず）を通して内側（即ち、図１において下方）に突出している。
【００４１】
この形態では、更に、支持フレーム８０の側壁部８２の内面に、上下方向に間隔をおいて略Ｌ字状の支持部材８８，９０が装着され、かかる支持部材８８，９０間にウォーム歯車９２（所謂、ウォーム）が回転自在に支持され、このウォーム歯車９２が第２駆動モータ７８の出力軸８６に駆動連結されている。また、この側壁部８２には所要の通りに折曲することによって、折曲補助壁部９４が設けられ、また支持フレーム８０の他方の側壁部９６には補助壁部９８が設けられ、かかる折曲補助壁部９４と補助壁部９８との間に支持軸１００が回転自在に支持されている。この支持軸１００の一端側（図１において左端側）には第１伝達歯車１０２（所謂、ウォームホイール）が装着され、この第１伝達歯車１０２がウォーム歯車９２に噛合され、また支持軸１００の他端側（図１において右端側）には第２伝達歯車１０４が装着されている。これら第１及び第２伝達歯車１０２，１０４は支持軸１００と一体的に回動し、第２駆動モータ７８からの駆動力を伝達する歯車列を構成する。尚、支持軸１００、第１伝達歯車１０２及び第２伝達歯車１０４は、合成樹脂の一体成形により形成することができる。
【００４２】
この形態では、更に、ユニットハウジング４８の背面（図１及び図２において上面）に歯車部１０６が設けられ、この歯車部１０６が第２伝達歯車１０４に噛合されている。また、このユニットハウジング４８の背面には、第２旋回軸線４６の軸線方向に間隔をおいて複数の放熱部１０８が設けられ、これら放熱部１０８が上方に延びている。
【００４３】
このように構成されているので、第２駆動モータ７８からの回動力は、ウォーム歯車９２、第１伝達歯車１０２及び第２伝達歯車１０４を介してユニットハウジング４８の歯車部１０６に伝達され、この歯車部１０６を介してユニットハウジング４８（即ち、照明ユニット６）が第２旋回軸線４６を中心として旋回される。
【００４４】
この実施形態では、照明ユニット６の複数のＬＥＤ素子７２の各々は、図３に示すように構成されている。即ち、このＬＥＤ素子７２は、２つのＬＥＤチップ、即ち第１ＬＥＤチップ１１２及び第２ＬＥＤチップ１１４を組み合わせて構成されている。第１ＬＥＤチップ１１２は、第１特定色（例えば、肌色など）で発光するものであり、また第２ＬＥＤチップ１１４は、第１特定色と異なる第２特定色（例えば、白色など）に発光するものであり、このように発光色の異なる第１及び第２ＬＥＤチップ１１２，１１４を組み合わせて用いることにより、ＬＥＤ素子７２からの発光色は、第１特定色及び第２特定色の合わさったものとなる。
【００４５】
ＬＥＤ素子７２として２種類のＬＥＤチップ、即ち第１及び第２ＬＥＤチップ１１２，１１４を組み合わせて用いてそれらの発光状態を変化させることによって、ＬＥＤ素子７２の発光色調を調整することが可能となる。
【００４６】
この実施形態では、ＬＥＤ素子７２の第１及び第２ＬＥＤチップ１１２，１１４に供給される電流は、図４に示すようにデューティ制御されるように構成される。電流供給の１サイクルの時間をＴ０とし、この１サイクル時間Ｔ０のうち電流の供給される供給時間をＴ１とすると、デューティ比Ｄ（％）は、Ｄ＝（Ｔ１／Ｔ０）Ｘ１００（％）となり、このデューティ比Ｄが大きいほど１サイクル時間Ｔ０における電流の供給時間Ｔ１が長くなる。第１及び第２ＬＥＤチップ１１２，１１４に供給される電流のデューティ比Ｄとそれらの発光の明るさとの関係は、図５に示す通りとなり、第１及び第２ＬＥＤチップ１１２，１１４に供給される電流のデューティ比Ｄが大きくなるほどそれらの発光状態が明るくなる。
【００４７】
このような関係を利用して、ＬＥＤ素子７２の発光色調が次のようにして調整される。この形態では、後述するように、ＬＥＤ素子７２の発光色調を調整するための色調操作レバー１２０が設けられ、この色調操作レバー１２０が図６（ｂ）に示すようにスライド操作できるように構成されている。図６（ｂ）において、色調操作レバー１２０が中央（表示「５０」）に位置するときには、第１ＬＥＤチップ１１２に供給される電流のデューティ比Ｄが５０％となるとともに、第２ＬＥＤチップ１１４に供給される電流のデューティ比Ｄが５０％となり、図６（ａ）で示すように、第１ＬＥＤチップ１１２の発光の明るさと、第２ＬＥＤチップ１１４の発光の明るさとが同じになり、第１ＬＥＤチップ１１２からの発光色（例えば、肌色）と第２ＬＥＤチップ１１４からの発光色（例えば、白色）とがほぼ同じ明るさで合わさった色でもってＬＥＤ素子７２から照射される。
【００４８】
この色調操作レバー１２０を例えば図６（ｂ）において矢印１２２で示す右方に一点鎖線１２０Ａで示す位置に移動させると、第１ＬＥＤチップ１１２に供給される電流のデューティ比Ｄが５０％より大きくなる一方、第２ＬＥＤチップ１１４に供給される電流のデューティ比Ｄが５０％よりも小さくなり、図６（ａ）で示すように、第１ＬＥＤチップ１１２の発光の明るさがより明るくなる一方、第２ＬＥＤチップ１１４の発光の明るさが暗くなり、第１ＬＥＤチップ１１２からの明るくなった発光色と第２ＬＥＤチップ１１４からの暗くなった発光色とが合わさった色、即ち肌色が強くなった色でもってＬＥＤ素子７２から照射される。
【００４９】
また、この色調操作レバー１２０を例えば図６（ｂ）において矢印１２４で示す左方に一点鎖線１２０Ｂで示す位置に移動させると、第１ＬＥＤチップ１１２に供給される電流のデューティ比Ｄが５０％より小さくなる一方、第２ＬＥＤチップ１１４に供給される電流のデューティ比Ｄが５０％よりも大きくなり、図６（ａ）で示すように、第１ＬＥＤチップ１１２の発光の明るさが暗くなる一方、第２ＬＥＤチップ１１４の発光の明るさがより明るくなり、第１ＬＥＤチップ１１２からの暗くなった発光色と第２ＬＥＤチップ１１４からの明るく発光色とが合わさった色、即ち白色が強くなった色でもってＬＥＤ素子７２から照射される。
【００５０】
このように、色調操作レバー１２０を操作して第１及び第２ＬＥＤチップ１１２，１１４に供給される電流のデューティ比Ｄを変えることによって、ＬＥＤ素子７２からの発光色の色調を調整することができる。
【００５１】
〔照明システムの一実施形態〕
上述した照明装置をホールなどの天井に設置した照明システムは、例えば、次の制御系によって発光色の色調及び照射角度などを調整することができる。図７及び図８を参照して、この照明システムでは、図７に示す操作装置１３２によって操作制御される。図７において、この操作装置１３２の左上部には、グループスイッチ１３３が設けられている。このグループスイッチ１３３は、スイッチ１３４，１３６，１３８，１４０，１４２，１４４，１４６を含み、スイッチ１３４は全スイッチであり、全スイッチ１３４を操作すると、ホールの天井などに設置された照明装置１の全てが選択される。また、スイッチ１３６（１３８，１４０，１４２，１４４，１４６）は、後述する如くしてグループ化された照明装置１を選択するものであり、第１グループスイッチ１３６（第２グループスイッチ１３８、第３グループスイッチ１４０、第４グループスイッチ１４２、第５グループスイッチ１４４、第６グループスイッチ１４６）を操作すると、複数の照明装置１のうち第１グループ（第２グループ、第３グループ、第４グループ、第５グループ、第６グループ）化されたのものが選択される。
【００５２】
操作装置１３２の左下部には、照明装置１の選択テンキー１４８が設けられている。複数の照明装置１の各々には個別のＩＤ番号が、例えば「０１」、「０２」、「０３」・・・と付されており、この選択テンキー１４８で「０１」（「０２」、「０３」・・・）を入力すると、ＩＤ番号が「０１」（「０２」、「０３」・・・）の照明装置１が選択される。
【００５３】
また、操作装置１３２の右上部にはメインスイッチ１５０が設けられている。このメインスイッチ１５０を入力操作すると、操作装置１３２の電源がオンとなり、この操作装置１３２の入力操作が可能となり、再度メインスイッチ１５０を操作すると、操作装置１３２の電源がオフとなる。
【００５４】
この操作装置１３２の右部には、上側から順に、照度操作レバー１５２、色調操作レバー１２０、回転操作レバー１５４及び傾き操作レバー１５６が設けられている。照度操作レバー１５２は、照明装置１の複数のＬＥＤ素子７２（第１ＬＥＤチップ１１２及び第２ＬＥＤチップ１１４）の照度を調整するためのものであり、この照度操作レバー１５２を右方（又は左方）に操作すると、複数のＬＥＤ素子７２（第１ＬＥＤチップ１１２及び第２ＬＥＤチップ１１４）に供給される電流のデューティ比Ｄが大きく（又は小さく）なり、これらＬＥＤ素子７２の照度が明るく（又は暗く）なる。尚、色調操作レバー１２０の操作については、上述した通りである。
【００５５】
回転操作レバー１５４は、照明装置１の照明ユニット６を回動操作するものであり、この回転操作レバー１５４を例えば右方（又は左方）に操作すると、照明装置１の第１駆動モータ３８が所定方向（又は所定方向と反対方向）に回動され、これによって、支持ハウジング４（及びこれに装着された照明ユニット６など）が第１旋回軸線２４を中心として図１において上から見て例えば時計方向（又は反時計方向）に旋回動される。
【００５６】
更に、傾き操作レバー１５６は、照明装置１の照明ユニット６を傾き操作するものであり、この傾き操作レバー１５６を例えば右方（又は左方）に操作すると、照明装置１の第２駆動モータ７８が所定方向（又は所定方向と反対方向）に回動され、これによって、照明ユニット６が第２旋回軸線４６を中心として図２において反時計方向（又は時計方向）に旋回動される。
【００５７】
操作装置１３２は、更に、オールクリアキー１５８、クリアキー１６０、グループエンターキー１６２及びエンターキー１６４を含んでいる。オールクリアキー１５８は、照明装置１のグループ化されたグループ情報の全てをクリアするためのキーであり、クリアキー１６０は、選択されたグループ情報をクリアするためのキーであり、グループエンターキー１６２は、選択した照明装置１をグループ化するためのキーであり、またエンターキー１６４は、選択した照明装置１を入力するためのキーである。この操作装置１３２は、送信手段１６６を含み、操作装置１３２の操作情報は、この送信手段１６６を介して照明システムのコントローラ１６８（全体の制御を行う制御手段として機能する）側に送信される。
【００５８】
コントローラ１６８に関連して受信手段１７０が設けられ、操作装置１３２側の送信手段１６６からの操作信号はこの受信手段１７０を介してコントローラ１６８に送給される。尚、この操作信号は、通信線などの有線を介して送信するようにしてもよい。
【００５９】
図示のコントローラ１６８は、グループ化設定手段１７２、第１電流制御手段１７４、第２電流制御手段１７６、第１駆動モータ制御手段１７８および第２駆動モータ制御手段１８０およびメモリ手段１８２を含んでいる。グループ化設定手段１７２は、複数の照明装置１のグループ化を設定するためのものであり、例えば、操作装置１３２のグループエンターキー１６２を入力操作した後にグループスイッチ１３３を押圧して選択グループを決定する。例えば、スイッチ１３４（１３６，１３８・・）を操作すると、第１グループ（第２グループ、第３グループ・・）が選択され、このようにグループを選択した後、照明装置１のＩＤ番号を入力して照明装置１のグループ化を行う。例えば、スイッチ１３４（１３６、１３８・・）を操作した後、例えば選択テンキー１４８の「０」、「１」及び「♯」をこの順に押圧すると、照明装置１のＩＤ番号「０１」が第１グループ（第２グループ、第３グループ・・）に入力される。続いて、例えば選択テンキー１４８の「０」、「３」及び「♯」をこの順に押圧すると、照明装置１のＩＤ番号「０３」が第１グループ（第２グループ、第３グループ・・）に追加され、このように入力操作されたＩＤ番号がコントローラ１６８側に送信され、第１グループ（第２グループ、第３グループ・・）としてメモリ手段１８２に登録され、この実施形態では、図７から理解されるように、第６グループまで設定可能に構成されているが、このようなグループ化の数を少なくしてもよく、更に多くなるようにすることもできる。このように第１〜第６グループに設定された特定のいずれか一つが、本明細書では第１特定グループとして説明し、またこれらのうちの特定のいずれか一つが、本明細書では第２特定グループとして説明し、第１特定グループと第２特定グループとが同じグループでもよく、また異なるグループであってもよい。
【００６０】
また、第１電流制御手段１７４は、照明装置１の多数のＬＥＤ素子７２の第１ＬＥＤチップ１１２に供給される電流を制御し、第２電流制御手段１７６は、これらＬＥＤ素子７２の第２ＬＥＤチップ１１４に供給される電流を制御する。また、第１駆動モータ制御手段１７８は照明装置１の第１駆動モータ３８を制御し、また第２駆動モータ制御手段１８０は、照明装置１の第２駆動モータ７８を制御する。
【００６１】
例えば、第１グループ（第２グループ、第３グループ・・）にグループ化された複数の照明装置１（このグループを、第１特定グループの照明装置１として説明する）の発光色調を調整するには、操作装置１３２のスイッチ１３６（１３８，１４０・・）を操作して第１グループ（第２グループ、第３グループ・・）を選択し、その後色調操作レバー１２０を操作してグループエンターキー１６２を入力すればよい。このように操作すると、色調操作レバー１２０の設定位置情報がコントローラ１６８側に送信され、第１特定グループの照明装置１の色調情報としてメモリ手段１８２に登録される。
【００６２】
かくすると、メモリ手段１８２に登録された色調情報に基づいて、第１特定グループの照明装置１の複数のＬＥＤ素子７２に供給される電流が制御される。即ち、コントローラ１６８の第１電流制御手段１７４は、第１特定グループの照明装置１の複数のＬＥＤ素子７２の第１ＬＥＤチップ１１２に供給される電流を制御し、またその第２電流制御手段１７６は、第１特定グループの照明装置１の複数のＬＥＤ素子７２の第２ＬＥＤチップ１１４に供給される電流を制御し、これによって、第１特定グループの照明装置１における複数のＬＥＤ素子７２の発光状態が変化し、この照明装置１の発光の色調を調整することができる。
【００６３】
また、例えば、第１グループ（第２グループ、第３グループ・・）にグループ化された複数の照明装置１（このグループを、第２特定グループの照明装置１として説明する）の照射角度を調整するには、操作装置１３２のスイッチ１３６（１３８，１４０・・）を操作して第１グループ（第２グループ、第３グループ・・）を選択し、その後回転操作レバー１５４及び／又は傾き操作レバー１５６を操作してグループエンターキー１６２を入力すればよい。このように操作すると、回転操作レバー１５４及び／又は傾き操作レバー１５６の設定位置情報がコントローラ１６８側に送信され、第２特定グループの照明装置１の照射角度情報としてメモリ手段１８２に登録される。
【００６４】
かくすると、メモリ手段１８２に登録された照射角度情報に基づいて、第２特定グループの照明装置１の照明ユニット６の照射角度位置が調整される。例えば、回転操作レバー１５４を操作したときには、コントローラ１６８の第１駆動モータ制御手段１７８は、第２特定グループの照明装置１の第１駆動モータ３８を制御し、これによって、第２特定グループの照明装置１における支持ハウジング４（及びこれに装着された照明ユニット６）が第１旋回軸線２４を中心として所要の通りに旋回され、この照明装置１の回転位置が調整される。
【００６５】
また、例えば、傾き操作レバー１５６を操作したときには、コントローラ１６８の第２駆動モータ制御手段１８０は、第２特定グループの照明装置１の第２駆動モータ７８を制御し、これによって、第２特定グループの照明装置１における照明ユニット６が第２旋回軸線４６を中心として所要の通りに旋回され、この照明装置１の傾き角度位置が調整される。
【００６６】
尚、回転操作レバー１５４及び傾き操作レバー１５６の双方を操作したときには、上述した記載から理解される如く、第１駆動モータ制御手段１７８が第２特定グループの照明装置１の第１駆動モータ３８を制御するとともに、第２駆動モータ制御手段１８０が第２特定グループの照明装置１の第２駆動モータ７８を制御し、従って、第２特定グループの照明装置１の回転位置及び傾き角度が調整される。
【００６７】
〔照明装置の他の実施形態〕
この照明装置は、例えば、図９〜図１１に示すように構成することができ、この他の実施形態では、光拡散部材が複数のＬＥＤ素子に対して近接及び離隔する方向に移動可能に構成されている。尚、この他の実施形態において、上述した実施形態（図１及び図２参照）と実質上同一の部材には同一の参照番号を付し、その説明を省略する。
【００６８】
図９及び図１０において、この実施形態では、照明ユニット６Ａは、横方向（図９において左右方向）に延びる第２旋回軸線４６を中心として旋回自在に支持ハウジング４に支持されている。図示の照明ユニット６Ａはユニットハウジング４８Ａを備え、このユニットハウジング４８Ａが支持ハウジング４の一対の側壁部２６の下端部間に上述したと同様にして旋回自在に支持されている。
【００６９】
この形態のユニットハウジング４８Ａは、下面（図９における下面）のほぼ全域に円形状の凹部６６が設けられたユニットハウジング本体２００と、この円形凹部６６の中央部に取り付けられた略短筒状のブロック状部材２０１とから構成されている。このブロック状部材２０１の下面には照射用基板２０２が取り付けられ、この照射用基板２０２に複数のＬＥＤ素子７２が実装されている。更に、これら複数のＬＥＤ素子７２を覆うように光拡散部材７４が配設され、後述するように、この光拡散部材７４が、図９に示す第１の位置（照射用基板２０２に近接する近接位置）と図１１に示す第２の位置（照射用基板２０２から離隔する離隔位置）との間を移動自在に構成されている。
【００７０】
光拡散部材７４は、各ＬＥＤ素子７２に対応して光拡散部７６を有し、上記第１の位置に位置するときには、図９に示すように、各光拡散部７６は対応するＬＥＤ素子７２を覆い、このような状態のときには、複数のＬＥＤ素子７２からの光は集光され、照明装置からの照射光は集光して絞られた状態となる。また、上記第２の位置に位置するときには、図１１に示すように、各光拡散部７６は対応するＬＥＤ素子７２から離れて位置し、このような状態のときには、複数のＬＥＤ素子７２からの光は周囲に拡散され、照明装置からの照射光は拡散して周囲に拡がった状態となる。
【００７１】
ユニットハウジング４８Ａには環状回動部材２０４が回動自在に装着され、この環状回動部材２０４とユニットハウジング本体２００の周側壁部２０６との間に環状空間２０８が規定され、この環状空間２０８内に環状移動部材２１０が上記第１旋回軸線（図１参照）の方向に移動自在に挿入されている。この環状移動部材２１０の先端部には環状取付部材２１１が取り付けられ、光拡散部材７４の外周部は、環状移動部材２１０と環状取付部材２１１との間に挟持され、環状移動部材２１０と一体的に移動する。
【００７２】
この実施形態では、ユニットハウジング４８Ａのブロック状部材２０１の内面（図９において上面）外周部に環状凹部２１２が設けられ、また環状回動部材２０４の一端部（図９において上端部）に径方向内方に突出する環状支持フランジ２１４が設けられ、かかる環状支持フランジ２１４が環状凹部２１２に回動自在に係合され、このようにして環状回動部材２０４がユニットハウジング４８Ａに回動自在に支持されている。
【００７３】
この環状回動部材２０４の外周面には、図９に示すように、一対のカム溝２１６が設けられ、かかるカム溝２１６は対向して設けられている。一対のカム溝２１６は実質上同一の構成であり、環状回動部材２０４の上部において水平方向に延びる上水平部２１８ａと、その下部において水平方向に延びる下水平部２１８ｂと、上水平部２１８ａと下水平部２１８ｂとを接続する傾斜部２１８ｃとを有している。尚、かかるカム溝２１６は、環状回動部材２０４の外周面に３つ以上設けるようにしてもよい。
【００７４】
このことに関連して、この形態においては、環状移動部材２１０の上部に、各カム溝２１６に対応してピン部材２２０（図９〜図１１において一つのみ示す）が固定されている。ピン部材２２０の一端部は、環状回動部材２０４側の対応するカム溝２１６に受け入れられ、このカム溝２１６に沿って移動自在に構成され、カム溝２１６及びピン部材２２０は、環状回動部材２０４を回動するためのカム機構を構成する。また、ピン部材２２０の他端部は、ユニットハウジング本体２００の周側壁部２０６に設けられた貫通長孔２２２（図９及び図１１において一つのみ示す）挿入されている。貫通長孔２２２は、上記第１旋回軸線（図１参照）の方向に延びており、このような貫通長孔２２２にピン部材２２０を挿入することによって、ピン部材２２０は貫通長孔２２２に沿って上記第１旋回軸線の方向に移動することができるが、ユニットハウジング本体２００（即ち、ユニットハウジング４８Ａ）に対して相対的に回動することがなく、従ってユニットハウジング４８Ａに対する環状移動部材２１０の相対的回動が阻止される。
【００７５】
この環状回動部材２０４に関連して、次の通り構成されている。環状回動部材２０４の環状支持フランジ２１４の内周部には、その全周にわたって内歯車部２２４が設けられている。また、ユニットハウジング４８Ａのユニットハウジング本体２００の所定部位には、環状回動部材２０４を回動させるための第３駆動モータ２２６（第３駆動源を構成する）が装着され、その出力軸２２８がユニットハウジング本体２００を貫通してブロック状部材２０１に回転自在に支持され、この出力軸２２８に取り付けられた駆動歯車２３０が環状回動部材２０４側の内歯車部２２４に噛合されている。尚、この駆動歯車２３０に対応して、ブロック状部材２０１には収容凹部２３２が設けられ、駆動歯車２３０は、この収容凹部２３２に収容されている。この実施形態の照明装置の他の構成は、上述した照明装置（図１及び図２参照）と実質上同一である。
【００７６】
この照明装置において、第３駆動モータ２２６が所定方向（所定方向と反対方向）に回動すると、出力軸２２８、駆動歯車２３０及び内歯車部２２４を介して環状回動部材２０４が所定方向（又は所定方向と反対方向）に回動される。かく回動すると、この環状回動部材２０４の回動に伴ってピン部材２２０がカム溝２１６に沿って上水平部２１８ａ（又は下水平部２１８ｂ）に向けて移動し、かかるピン部材２２０の移動によって、環状移動部材２１０が第１旋回軸線に沿って上方（又は下方）にユニットハウジング本体２００に近接する方向（又は離隔する方向）に移動する。このとき、ピン部材２２０は、ユニットハウジング本体２００の貫通長孔２２２内を上方（又は下方）に移動する。
【００７７】
このように環状移動部材２１０が移動すると、これと一体的に光拡散部材７４が複数のＬＥＤ素子７２に近接する方向（又は離隔する方向）に移動し、複数のＤＥＤ素子７２からの光は、集光される（又は拡散される）ようになり、かくして、照明装置の照射光を中心部に絞る（又は周囲に拡散する）ことができる。
【００７８】
この第３駆動モータ２２６を更に所定方向（又は所定方向と反対方向）に回動すると、ピン部材２２０がカム溝２１６の上水平部２１８ａ（又は下水平部２１８ｂ）まで移動し、図９（又は図１１）に示すように、環状移動部材２１０は上昇位置（又は下降位置）まで移動し、光拡散部材７４は第１の位置（又は第２の位置）に位置付けられ、その光拡散部７６は対応するＬＥＤ素子７２を覆うようになる（又は対応するＬＥＤ素子７２から大きく離れるようになる）。
【００７９】
このような照明装置も上述した照明システムに適用することができ、この場合、リモコン装置に集光・拡散操作レバーを設け、この集光・拡散操作レバーの操作位置に対応させて上述したように環状移動部材２１０を第１旋回軸線に沿って移動させて光拡散部材７４を所望位置に位置付けるようにすればよく、このように構成することによって、照明装置の回動角度位置及び傾斜角度位置に加えて、その照射光の集光・拡散状態も自動調整することが可能となる。
【００８０】
以上、本発明に従う照明装置及び照明システムの一実施形態について説明したが、本発明はかかる実施形態に限定されるものではなく、本発明の範囲を逸脱することなく種々の修正乃至変更が可能である。
【００８１】
例えば、上述した実施形態では、照明装置１の複数のＬＥＤ素子７２を、発光色の異なる２種類のＬＥＤチップ、即ち第１ＬＥＤチップ１１２及び第２ＬＥＤチップ１１４から構成しているが、例えば３種類以上のＬＥＤチップから構成するようにしてもよく、例えば、３種類のＬＥＤチップから構成した場合、コントローラ１６８に第１及び第２電流制御手段１７４，１７６に加えて第３電流制御手段を設け、第１電流制御手段１７４により第１ＬＥＤチップ１１２に供給する電流を制御し、第２電流制御手段１７６により第２ＬＥＤチップ１１４に供給される電流を制御し、更に、第３電流制御手段（図示せず）により第３ＬＥＤ素子（図示せず）に供給される電流を制御するようにすればよい。
【符号の説明】
【００８２】
１  照明装置
２  照明装置ハウジング
４，４Ａ  支持ハウジング
６，６Ａ  照明ユニット
１３  環状受け部
２４  第１旋回軸線
３８  第１駆動モータ（第１駆動源）
４６  第２旋回軸線
４８，４８Ａ  ユニットハウジング
５２  環状部材
７２  ＬＥＤ素子
７８  第２駆動モータ（第２駆動源）
９２  ウォーム歯車
１１２  第１ＬＥＤチップ
１１４  第２ＬＥＤチップ
１２０  色調操作レバー
１３２  操作装置
１５４  回転操作レバー
１５６  傾き操作レバー
１６８  コントローラ
１７２  グループ化設定手段
１７４  第１電流制御手段
１７６  第２電流制御手段
１７８  第１駆動モータ制御手段
１８０  第２駆動モータ制御手段
２０４  環状回動部材
２１０  環状移動部材
２１６  カム溝
２２０  ピン部材
２２６  第３駆動モータ（第３駆動源）
【手続補正３】
【補正対象書類名】図面
【補正対象項目名】図２
【補正方法】変更
【補正の内容】
【図２】
2016024854.tif 000001
【手続補正４】
【補正対象書類名】図面
【補正対象項目名】図６
【補正方法】変更
【補正の内容】
【図６】
2016024854.tif 000002
【手続補正５】
【補正対象書類名】図面
【補正対象項目名】図８
【補正方法】変更
【補正の内容】
【図８】
2016024854.tif 000003